(57)【要約】      （修正有）【目的】ボタンの外周方向に一体に連続する切れ目のない金属環体のボタン外郭部を形成し、ボタン外郭部の外側に鮮明なボタン外郭部用装飾などの刻印装飾を施すことにより、ボタン本体の表面に施された装飾と相まって、デザイン性と付加価値をより高めたボタンを提供する。【構成】被装飾品に取り付けるための通し孔２ａを有する合成樹脂あるいは天然素材で形成されるボタン本体２と、前記ボタン本体２外側を被覆するように装着される金属で形成されるボタン外郭部４とで構成され、前記ボタン外郭部４は、ボタン１の外周方向に一体に連続する切れ目のない金属環体により形成され、前記ボタン本体２に装着した際に、少なくとも当該ボタン本体２の外側面となる側にボタン外郭部用装飾５を刻印した。【選択図】図１
0003142113.tif 000002
【実用新案登録請求の範囲】
【請求項１】
合成樹脂あるいは天然素材で形成されたボタン本体と、
前記ボタン本体外側を被覆するように装着される金属で形成されたボタン外郭部とで構成され、
前記ボタン外郭部は、ボタンの外周方向に一体に連続する切れ目のない金属環体により形成され、前記ボタン本体に装着した際に、少なくとも当該ボタン本体の外側面となる側に刻印よりなるボタン外郭部用装飾を形成したことを特徴とするボタン。
【請求項２】
前記ボタン外郭部は、前記ボタン本体の外周面側とボタン本体の表裏両面側に外嵌されるように断面略コ型に形成され、ボタン本体の外周にはボタン外郭部が外嵌されるボタン本体の中間部よりも一段肉薄とした鍔部が形成されていることを特徴とする請求項１記載のボタン。
【請求項３】
前記ボタン外郭部のボタン外郭部用装飾は、文字、図形、数字、商標、キャラクターなど、又はこれらの組合せからなる凹刻印又は凸刻印よりなる刻印装飾であることを特徴とする請求項１又は２記載のボタン。
【請求項４】
前記ボタン本体の表面にはボタン本体用装飾が施されていることを特徴とする請求項１乃至３のいずれかに記載のボタン。
【考案の詳細な説明】
【技術分野】
【０００１】
本考案は、衣類や帽子などの被服、鞄、雑貨などに装飾されるボタンに関する。
【背景技術】
【０００２】
ボタンは、衣類や帽子などの被服、鞄などに実用的に取り付けられるだけでなく、装飾ボタンとして雑貨など様々な分野で、実用と装飾を兼ねた装飾品として様々な分野で利用されている。
【０００３】
しかし、ボタン本体に樹脂や貝殻などの天然素材を用いたボタンでは、脆く欠け易いという問題があった。
【０００４】
そこで、ボタン本体の外周側面に、金属板を巻いて固定させたり、金属環を接着剤により接着して固定させたボタンが市販されている。
【０００５】
しかしながら、上記従来の金属板を巻いて固定させたボタンでは、ボタンの掛け外しを繰り返すうちに、金属板の接合が外れ金属の端部が飛び出して危険であるという問題があった。また、使用していくうちに、接着したボタン本体が金属環から取れてしまうこともあった。
【０００６】
さらに、ボタン本体の外周側面に設けた上記の金属環体の外周側面は、被装飾面としては利用されておらず、装飾性の点で問題があった。
【考案の開示】
【考案が解決しようとする課題】
【０００７】
そこで本考案は、上記問題点を解消するために、ドーナツ状の金属板をボタン外郭部として、ボタン本体外側に被覆するように取り付けるとともに、ボタン外郭部の外側に刻印よりなるボタン外郭部用装飾を形成すことにより、ボタン本体の表面に施された装飾と相まって、デザイン性と商標などによる付加価値性をより高めたボタンを提供することを目的とする。
【課題を解決するための手段】
【０００８】
請求項１に記載されたボタン１は、被装飾品に取り付けるための通し孔２ａを有する合成樹脂あるいは天然素材で形成されたボタン本体２と、ボタン本体２外側を被覆するように装着される金属で形成されたボタン外郭部４とで構成され、ボタン外郭部４は、ボタン１の外周方向に一体に連続する切れ目のない金属環体により形成され、前記ボタン本体２に装着した際に、少なくとも当該ボタン本体２の外側面となる側に刻印よりなるボタン外郭部用装飾５を形成したことを特徴としている。
【０００９】
これにより、ボタン本体の外周を一体に連続する切れ目のない金属で被覆することができ、ボタン本体を保護するとともに、ボタン本体の側面に鮮明な刻印を施すことによりボタンに高級感与え、ボタンによる装飾効果を向上させることができる。
【００１０】
請求項２に記載されたボタン外郭部４は、ボタン本体２の外周面側とボタン本体２の表裏両面側に外嵌されるように断面略コ型に形成され、ボタン本体２の外周にはボタン外郭部４が外嵌されるボタン本体２の中間部よりも一段肉薄とした鍔部２ｂが形成されていることを特徴としている。
【００１１】
これにより、従来の単に金属を捲着したボタンよりも、ボタン本体の保護性を高めることができる。
【００１２】
請求項３に記載されたボタン外郭部４のボタン外郭部用装飾５は、文字、図形、数字、商標、キャラクターなど、又はこれらの組合せからなる凹刻印又は凸刻印よりなる刻印装飾であることを特徴としている。
【００１３】
前記ボタン本体２の表面にはボタン本体用装飾３が施されていることを特徴としている。
【００１４】
これにより、ボタン本体の表面に施されたボタン本体用装飾と側面のボタン外郭部用装飾の刻印と相まって、ボタンのデザインの自由度を向上させることができる。
【考案の効果】
【００１５】
本考案のボタンによれば、ボタン外郭部の外周面に刻印による装飾を施しているので、ボタン本体表面に施された装飾と相まって、デザイン性と商標などの付加価値をより高めたボタンを提供することができる。また、ボタン本体２の外周に鍔部２ｂを形成し、ボタン外郭部４は、ボタン本体２の鍔部２ｂの表裏両面側に外嵌されるように断面略コ型に形成することにより、形状的にも堅牢で、耐久性があり、安全である。
【００１６】
また、ボタン本体に貝殻などの天然素材を用いた場合でも、天然素材を傷つける事なくボタン外郭部用装飾を刻印することができ、天然素材を最大限生かしたボタンを提供することができる。
【考案を実施するための最良の形態】
【００１７】
以下、本考案を実施するための最良の形態について、図面を参照しながら説明する。
図１は、本考案によるボタンの一例を示す斜視図であり、図２（ａ）は、本考案によるボタンの一例を示す側面図であり、図２（ｂ）は、本考案によるボタンの一例を示す断面図であり、図３（ａ）〜（ｅ）は本考案に係るボタンの製造工程を説明するための説明図である。
【００１８】
図１及び図２に示すように、本考案に係るボタン１は、ボタン本体２と、ボタン本体外２に装着されるボタン外郭部４とで構成される。
【００１９】
ボタン本体２は、例えばポリエステル、ポリウレタン、ＡＢＳなどの各種合成樹脂や、貝類などの天然素材で形成されている。ボタン本体２には、被装飾品（衣類や帽子などの被服、鞄、雑貨など）に縫い糸で縫着するための糸通し孔２ａが、その表面から裏面に貫通するように複数（図示の例では４箇所）形成されている。また、ボタン本体２の外周面には、ボタン外郭部４を装着する際の装着部位となる鍔部２ｂが一体形成されている。
【００２０】
ボタン外郭部４は、所望の金属からなる金属板などを加工して形成され、ボタン本体２に装着された際に表面となる側に、文字、図形、数字、商標、キャラクターなど、又はこれらの組合せからなるボタン外郭部用装飾５を刻印することにより形成されている。
【００２１】
次に、図３を参照しながら、上述したボタン１の製造手順を具体的に説明する。
【００２２】
まず、図３（ａ）に示すように、金属板６に外郭部用のボタン外郭部用装飾５を刻印する。次に、図３（ｂ）に示すように、金属板６の刻印部分を丸く抜き落とし外郭部４を形成する。
【００２３】
次に、図３（ｃ）に示すように、抜き落とした外郭部４の中央部分を抜き落とし、ドーナツ状に形成する。そして、抜き落としたドーナツ状の外郭部４を研磨してメッキ加工を施す。
【００２４】
次に、図３（ｄ）に示すように、メッキしたドーナツ状の外郭部４をボタン本体２の鍔部２ｂに被せ、図３（ｅ）に示すように、鍔部２ｂに被せた外郭部４を鍔部２ｂを包み込むように内側にかしめることで、図１に示すようなボタン１が完成する。
【００２５】
ところで、上述したボタン１は、ボタン本体２の表面から裏面に貫通する糸通し孔２ａが形成された形状で説明したが、これに限定されることはなく、例えばボタン本体２の裏面に略Ｕ字状の縫付脚を設けた形状でもよい。
【００２６】
また、ボタン本体２の形状は、図示のような円盤状に限定されることはなく、例えば三角形や四角形などの多角形状でもよい。
【図面の簡単な説明】
【００２７】
【図１】本考案によるボタンの一例を示す斜視図である。
【図２】本考案によるボタンの一例を示す側面図及び断面図である。
【図３】本考案によるボタンの一例の製造手順を示す図である。
【符号の説明】
【００２８】
１  …ボタン
２  …ボタン本体
２ａ…糸通し孔
２ｂ…鍔部
３  …ボタン本体用装飾
４  …ボタン外郭部
５  …ボタン外郭部用装飾
６  …金属板
【図１】
0003142113.tif 000003
【図２】
0003142113.tif 000004
【図３】
0003142113.tif 000005